(57)【要約】【課題】分離式レーザー加工機を具備するデジタルフラットベッドインクジェットプリンタを提供する。【解決手段】  レーザー加工機械１及びデジタルインクジェット機械２を含み、インクジェット作業プラットフォーム２２は、可動的にデジタルインクジェット機械２によって昇降自在であり、インクジェット作業プラットフォーム２２が下降した後、レーザー加工機械１は可動的にインクジェット作業プラットフォーム２２に結合され、レーザー加工機械１のレーザー加工プラットフォーム１２にて、レーザー加工機械１のレーザーアウトプットモジュール１１及びデジタルインクジェット機械２のインクジェットアウトプットモジュール１１が前後してレーザー加工を行う或いはインクジェット印刷を行うことを特徴とする分離式レーザー加工機を具備する。【選択図】図３
2019123220.tif 000002
【特許請求の範囲】
【請求項１】
レーザー加工機械及び一つのデジタルインクジェット機械を含み、
前記レーザー加工機械に一つのレーザーアウトプットモジュール及び一つのレーザー加工プラットフォームが設けられ、一つのレーザー被加工物が前記レーザー加工プラットフォームに置かれることによって、前記レーザーアウトプットモジュールが前記レーザー被加工物に対してレーザー加工を行い、
前記デジタルインクジェット機械は、一つのインクジェットアウトプットモジュール及び一つのインクジェット作業プラットフォームを具備し、一つの被印刷物が前記インクジェット作業プラットフォームに置かれることによって、前記インクジェットアウトプットモジュールが前記被印刷物に印刷を行い、
前記インクジェット作業プラットフォームは、可動的に前記デジタルインクジェット機械によって昇降自在であり、前記インクジェット作業プラットフォームが下降した後、前記レーザー加工機械は可動的に前記インクジェット作業プラットフォームに結合され、前記レーザー加工機械の前記レーザー加工プラットフォームにて、前記レーザー加工機械の前記レーザーアウトプットモジュール及び前記デジタルインクジェット機械の前記インクジェットアウトプットモジュールが前後してレーザー加工を行う或いはインクジェット印刷を行うことを特徴とする分離式レーザー加工機を具備するデジタルフラットベッドインクジェットプリンタの構造。
【請求項２】
前記デジタルインクジェット機械は、別途一つの制御モジュールを含み、
前記レーザー加工機械は、一つの信号線を介し、前記デジタルインクジェット機械の制御モジュールと電気接続され、
前記制御モジュールは、前記レーザー加工機械の前記レーザーアウトプットモジュール及び前記デジタルインクジェット機械の前記インクジェットアウトプットモジュールの前後作動を制御することを特徴とする請求項１記載の分離式レーザー加工機を具備するデジタルフラットベッドインクジェットプリンタの構造。
【発明の詳細な説明】
【技術分野】
【０００１】
本発明は単独使用、または両機一体に使用できる分離式レーザー加工機を具備するデジタルフラットベッドインクジェットプリンタに関する。
【背景技術】
【０００２】
現在のレーザー加工産業において、レーザーカットと彫刻加工技術は、飛躍的に発展し、広く使用されている新しい加工技術である。適用性が広く、加工の精密度が高く、被加工物を破壊せず、制御しやすく、信頼性があり、加工効率が高く、彫刻の品質が良いなどのメリットがある。このようなレーザーカット及び彫刻加工が行えるレーザー加工装置は、例えば特許文献１に開示されている。
【０００３】
また、印刷業界にとってみれば、インクジェット製品は世界の趨勢となるものであり、少量多様の製品については即座にインクジェットプリンタの印刷を運用することができ、素早く印刷でき、色分解スクリーンを製作する時間と作業を省けることで、この競争力が求められる時代においてさらに優勢となるため、インクジェットプリンタの異なる色のインクカートリッジが同じ位置にて異なる濃さの色を吹き付けることにより、表したい色合いを付けさせることによって写真のような品質レベルを印刷することは、もはや夢物語ではなくなっている。このようなインクジェットプリンタは、例えば特許文献２に開示されている。
【先行技術文献】
【特許文献】
【０００４】
【特許文献１】特開２０１７−１０４８９３号公報
【特許文献２】特開２０１７−２０９９７４号公報
【発明の概要】
【発明が解決しようとする課題】
【０００５】
しかしながら、現在市場にて、レーザー加工とインクジェット印刷を行うには、それぞれ二種類の機械を通じて行う必要があり、互いに統合するデザイン及び機能がないため、それぞれを実施する際には、被加工物を移動させる必要があり、且つ新たに加工や印刷のための位置合わせと校正をしなければならない等、大変不便であることを鑑みて、更なる改善が必要であった。
【０００６】
本発明の目的は、単独で使用することができ、且つ二機を一体に使用することもできる分離式レーザー加工機を具備するデジタルフラットベッドインクジェットプリンタを提供することにある。
【課題を解決するための手段】
【０００７】
上述の目的に達するために、本発明は分離式レーザー加工機を具備するデジタルフラットベッドインクジェットプリンタを提供するものである。それに含まれるのは一つのレーザー加工機械及び一つのデジタルインクジェット機械である。その中において、レーザー加工機械に一つのレーザーアウトプットモジュール及び一つのレーザー加工プラットフォームを設け、それにより一つのレーザー被加工物をレーザー加工プラットフォームに置くことにより、レーザーアウトプットモジュールがレーザー加工を行う。デジタルインクジェット機械に含まれるのは一つのインクジェットアウトプットモジュール及び一つのインクジェット作業プラットフォームである。それにより一つの被印刷物を該インクジェット作業プラットフォームに置くことにより、インクジェットアウトプットモジュールが印刷を行う。その中において、インクジェット作業プラットフォームは可動的にデジタルインクジェット機械で昇降できることにより、インクジェット作業プラットフォームが下降した後、レーザー加工機械は可動的にインクジェット作業プラットフォームに結合することができる。よって、レーザー加工機械のレーザー加工プラットフォームにて、レーザー加工機械のレーザーアウトプットモジュール及びデジタルインクジェット機械のインクジェットアウトプットモジュールが前後してレーザー加工を行う或いはインクジェット印刷を使用することができる。
【０００８】
また、デジタルインクジェット機械は、別途一つの制御モジュールを含む。レーザー加工機械は一つの信号線を介し、デジタルインクジェット機械の制御モジュールと電気接続され、それにより制御モジュールを通じて、レーザー加工機械のレーザーアウトプットモジュール及びデジタルインクジェット機械のインクジェットアウトプットモジュールが前後して作動することを制御する。
【発明の効果】
【０００９】
本発明の構造により、単独で使用することができ、且つ二機を一体に使用することもできる。各自単独で作業する場合、大幅に機械の使用率を向上させることができ、さらに故障した機器を使わずに放置されるリスクを下げることができる。二機を結合して使用する場合、それぞれの作業における位置合わせ校正の問題を無くすことができ、大幅に作業効率及び製品の精度を向上させることができる。
【図面の簡単な説明】
【００１０】
【図１】本発明のレーザー加工機械の外観略図である。
【図２】本発明のデジタルインクジェット機械の外観略図である。
【図３】図１のレーザー加工機械と図２のデジタルインクジェット機械を結合する前の状態略図である。
【図４】図１のレーザー加工機械と図２のデジタルインクジェット機械を結合した後の状態略図である。
【発明を実施するための形態】
【００１１】
以下、本発明の具体的な構成内容及び効果を、図面を参照しながら詳細に説明する。
【００１２】
図１から図４に示すのは、本発明の分離式レーザー加工機を具有するデジタルフラットベッドインクジェットプリンタの一つの実施例である。デジタルフラットヘッドインクジェットプリンタに含まれるのは一つのレーザー加工機械１及び一つのデジタルインクジェット機械２である。
【００１３】
図１に示すように、レーザー加工機械１に一つのレーザーアウトプットモジュール１１及び一つのレーザー加工プラットフォーム１２が設けられており、一つのレーザー被加工物がレーザー加工プラットフォーム１２に置かれることにより、レーザーアウトプットモジュール１１がレーザー被加工物に対してレーザー加工を行う。
【００１４】
図２に示すように、デジタルインクジェット機械２は、一つのインクジェットアウトプットモジュール２１及び一つのインクジェット作業プラットフォーム２２を具備し、これらにより一つの被印刷物がインクジェット作業プラットフォーム２２に置かれることによって、インクジェットアウトプットモジュール２１が被印刷物に対して印刷を行う。
【００１５】
図３に示すように、インクジェット作業プラットフォーム２２は可動的にデジタルインクジェット機械２により昇降できることによって、インクジェット作業プラットフォーム２２が下降した後、レーザー加工機械１は可動的にインクジェット作業プラットフォーム２２に結合することができる構成を有している。
【００１６】
よって、使用に際しては、レーザー加工機械１がインクジェット作業プラットフォーム２１と結合された後、レーザー加工機械１のレーザー加工プラットフォーム１２にて、レーザー加工機械１のレーザーアウトプットモジュール１１及びデジタルインクジェット機械２のインクジェットアウトプットモジュール２１が前後してレーザー加工を行う或いはインクジェット印刷を行うことができる。
【００１７】
この他、デジタルインクジェット機械２は別途一つの制御モジュール２３を含む。レーザー加工機械１は一つの信号線１３を介し、デジタルインクジェット機械２の制御モジュール２３と電気接続され、それにより制御モジュール２３を通じて、レーザー加工機械１のレーザーアウトプットモジュール１１及びデジタルインクジェット機械２のインクジェットアウトプットモジュール２１の前後作動が制御される。
【００１８】
よって、このような構成によれば、本発明には下記のメリットを有する：
【００１９】
レーザー加工機械とデジタルインクジェット機械の両者が結合された後、レーザー加工或いはインクジェット印刷は、それぞれレーザー加工機械のレーザー加工プラットフォームを共用して加工プロセスを行うため、位置合わせ校正の問題を無くすことができ、大幅に作業効率及び製品の精度を上げることができる。
【００２０】
本発明のレーザー加工機械とデジタルインクジェット機械は互いに結合して共同で作業することができ、または両者は分かれてそれぞれ各自単独で作業することもできるため、大幅に機械の使用率及び故障した機器を使わずに置いているリスクを下げることができる。
【００２１】
上述の内容は本発明の具体的な実施例及び運用する技術手段であり、本文の掲示或いは教導により多くの変更及び修正があっても、本発明の構想内にて行う変更と見なされ、それにより生じる作用は尚も説明書及び図式の範囲内であり、本発明の重要な意義は失われず、本発明の範囲に含まれる。  
【符号の説明】
【００２２】
１…レーザー加工機械
１１…レーザーアウトプットモジュール
１２…レーザー加工プラットフォーム
１３…信号線
２…デジタルインクジェット機械
２１…インクジェットアウトプットモジュール
２２…インクジェット作業プラットフォーム
２３…制御モジュール
【図１】
2019123220.tif 000003
【図２】
2019123220.tif 000004
【図３】
2019123220.tif 000005
【図４】
2019123220.tif 000006